(57)【要約】【課題】  開口部の間口に通行の妨げになる溝等がなく、且つ障子が見込み方向にばたつくことのない建具及び浴室の提供。【解決手段】  引違い状に開閉する２枚の上吊りの障子１ａ，１ｂと、戸先振れ止め部材２，２と、下振れ止め部材３とを備え、戸先振れ止め部材２は、各障子１ａ，１ｂの戸先２７と対向する面に取付けてあり、戸先２７が嵌合する溝４を有し、下振れ止め部材３は、２枚の障子１ａ，１ｂの召合せ部の下方位置に取付けてあり、各障子１ａ，１ｂの垂下片５，垂下片部２５を案内する溝６を有し、障子１ａ，１ｂの下に隠れている。【選択図】      図１
2015203265.tif 000002
【特許請求の範囲】
【請求項１】
引違い状に開閉する２枚の上吊りの障子と、戸先振れ止め部材と、下振れ止め部材とを備え、戸先振れ止め部材は、各障子の戸先と対向する面に取付けてあり、戸先が嵌合する溝を有し、下振れ止め部材は、２枚の障子の召合せ部の下方位置に取付けてあり、各障子の垂下片を案内する溝を有し、障子の下に隠れていることを特徴とする建具。
【請求項２】
浴室内の上部に取付けた上枠と、上枠に吊り下げられ引違い状に開閉する２枚の障子と、戸先振れ止め部材と、下振れ止め部材とを備え、戸先振れ止め部材は、各障子の戸先と対向する面に取付けてあり、戸先が嵌合する溝を有し、下振れ止め部材は、２枚の障子の召合せ部の下方位置に取付けてあり、各障子の垂下片を案内する溝を有し、障子の下に隠れていることを特徴とする浴室。
【発明の詳細な説明】
【技術分野】
【０００１】
本発明は、引違い状に開閉する障子を備える建具及び浴室に関する。
【背景技術】
【０００２】
従来、浴室等に用いられる引戸式の建具においては、障子が上吊り障子であったとしても、障子の下方に障子をガイドするための下枠やレール、グレーチングの溝などを設けており（例えば、特許文献１参照）、溝や段差等があることで、通行時に足が引っ掛かってつまずいたり、車椅子が通行する際に通行しづらい等の問題があった。また、障子を案内する溝等にゴミが溜まったり、カビが発生したりすることがあり、掃除もしにくかった。
【先行技術文献】
【特許文献】
【０００３】
【特許文献１】特開２００７−２６２８９１号公報
【発明の概要】
【発明が解決しようとする課題】
【０００４】
本発明は以上に述べた実情に鑑み、開口部の間口に通行の妨げになる溝等がなく、且つ障子が見込み方向にばたつくことのない建具及び浴室の提供を目的とする。
【課題を解決するための手段】
【０００５】
上記の課題を達成するために請求項１記載の発明による建具は、引違い状に開閉する２枚の上吊りの障子と、戸先振れ止め部材と、下振れ止め部材とを備え、戸先振れ止め部材は、各障子の戸先と対向する面に取付けてあり、戸先が嵌合する溝を有し、下振れ止め部材は、２枚の障子の召合せ部の下方位置に取付けてあり、各障子の垂下片を案内する溝を有し、障子の下に隠れていることを特徴とする。
【０００６】
請求項２記載の発明による浴室は、浴室内の上部に取付けた上枠と、上枠に吊り下げられ引違い状に開閉する２枚の障子と、戸先振れ止め部材と、下振れ止め部材とを備え、戸先振れ止め部材は、各障子の戸先と対向する面に取付けてあり、戸先が嵌合する溝を有し、下振れ止め部材は、２枚の障子の召合せ部の下方位置に取付けてあり、各障子の垂下片を案内する溝を有し、障子の下に隠れていることを特徴とする。
【発明の効果】
【０００７】
請求項１記載の発明による建具は、引違い状に開閉する２枚の上吊り障子の召合せ部の下方位置に、各障子の垂下片を案内する溝を有する下振れ止め部材を取付けてあり、下振れ止め部材は障子の下に隠れていることで、開口部の間口に通行の妨げになる溝や段差等をなくすことができるので、通行がしやすく、車椅子が通行する場合でも通行しやすい。また、開口部の間口に溝や段差等がなく、下振れ止め部材は障子の下に隠れていることで、外観が良好で、掃除もしやすい。しかも、障子の戸先と下部が戸先振れ止め部材と下振れ止め部材で保持されることで、障子が見込み方向にばたつくこともない。
【０００８】
請求項２記載の発明による浴室は、浴室内の上部に取付けた上枠に、引違い状に開閉する２枚の障子を吊り下げて支持し、２枚の障子の召合せ部の下方位置に取付けた下振れ止め部材の溝に各障子の垂下片を案内したことで、障子の下に通行の妨げになる溝や段差等をなくすことができるので、通行がしやすく、車椅子が通行する場合でも通行しやすい。また、下面に溝や段差等がなく、下振れ止め部材は障子の下に隠れていることで、外観が良好で、掃除もしやすい。しかも、障子の戸先と下部が戸先振れ止め部材と下振れ止め部材で保持されることで、障子が見込み方向にばたつくこともない。下枠やグレーチング等が不要なため、浴室内の間仕切りや連結させた複数のユニットバスを仕切る建具を簡易に設置できる。
【図面の簡単な説明】
【０００９】
【図１】本発明の建具の第１実施形態を示す縦断面図である。
【図２】同建具の横断面図である。
【図３】同建具の右浴室側から見た正面図である。
【図４】同建具の下部を拡大して示す縦断面図である。
【図５】同建具の下振れ止め部材の周辺を拡大して示す斜視図である。
【図６】障子の取付け手順を示す縦断面図である。
【図７】上枠の底面図である。
【図８】（ａ）は下振れ止め部材の平面図、（ｂ）は同側面図、（ｃ）は同正面図である。
【図９】（ａ）は戸先振れ止め部材の側面図、（ｂ）は同平面図、（ｃ）は同正面図である。
【図１０】本発明の建具が取付く開口部の例を示す斜視図である。
【図１１】本発明の建具の第２実施形態を示す縦断面図である。
【図１２】同建具の横断面図である。
【図１３】同建具の右浴室側から見た正面図である。
【図１４】本発明の建具及び浴室の他の実施形態を示す平面図である。
【図１５】同建具及び浴室の縦断面図である。
【発明を実施するための形態】
【００１０】
以下、本発明の実施の形態を図面に基づいて説明する。図１〜３は本発明に係る建具８の第１実施形態を示しており、図１０は本建具８が取付く開口部１０を示している。本建具８は、図１０に示すように、介護施設に設けられる左右２つの浴室（ユニットバス）９ａ，９ｂを連結した浴室９内において、左右の浴室９ａ，９ｂを繋ぐ開口部１０に設置される。被介護者は、図示しない正面の出入口より左右の各浴室９ａ，９ｂに出入りし、介護者は左右の浴室９ａ，９ｂを繋ぐ開口部１０より左右の浴室９ａ，９ｂを行き来して入浴の介助を行う。本建具８は、被介護者のプライバシーを確保する目的で、前記開口部１０に設置されるものである。
【００１１】
本建具８は、図１〜３に示すように、開口部１０の上面１０ａに取付けられる上枠７と、引違い状に開閉する２枚の上吊りの障子１ａ，１ｂと、開口部１０の側面１０ｂ下部に取付けられる戸先振れ止め部材２，２と、２枚の障子１ａ，１ｂの召合せ部の下方位置の開口部下面１０ｃに取付けられる下振れ止め部材３とを備えている。
【００１２】
各障子１ａ，１ｂは、上框１１と下框１２と戸先框１３と召合せ框１４とを矩形に框組みし、その枠内に樹脂製の半透明のパネル１５を嵌め込んで構成されている。上框１１には、図１に示すように、長手方向の両端部の上面に吊車１６が取付けてあり、吊車１６は上枠７内に設けたレール１７上に案内されている。上枠７は、吊車１６のすぐ上に見込み壁１８が設けてあり、吊車１６がレール１７から浮き上がって外れるのを規制している。また上枠７は、前後の見付壁の下部より上枠垂下片１９が設けてあり、上枠垂下片１９により各障子１ａ，１ｂの上縁と上枠７との間の隙間を隠している。下框１２は、上下に２分割して構成され、上下方向の中間部に換気用のガラリ部２０が設けてある。下框１２の下端部には、２枚の障子１ａ，１ｂの対向する面側に垂下片５が設けてある。戸先框１３には、図２，３に示すように、上下方向の中間部に掘り込み型の引手２１が取付けられ、下部に障子１ａ，１ｂの可動範囲を規制するストッパー２２が取付けてある。召合せ框１４には、２枚の障子１ａ，１ｂの対向する面に煙返し２３が設けてある。戸先框１３及び召合せ框１４の下端部には、図４，５に示すように、樹脂製の端部キャップ２４を取付けて小口を塞いであり、端部キャップ２４には下框１２の垂下片５と連続するように垂下片部２５が形成してある。
２枚の障子１ａ，１ｂの各框１１，１２，１３，１４は、同一の形材を前後逆にして用いており、２枚の障子１ａ，１ｂは見込み方向に対して対称になっている。すなわち２枚の障子１ａ，１ｂは、同一のものを背中合わせに配置している。
【００１３】
戸先振れ止め部材２は、滑りの良い樹脂で形成したピース状の部材となっており、図２，３に示すように、開口部１０の側面１０ｂ下部に一本のネジ２６で取付けてある。戸先振れ止め部材２は、図２，９に示すように、障子１ａ，１ｂの戸先２７が嵌合する溝４を有すると共に、その溝４の入口側にハの字形に傾斜したテーパー面２８を有している。障子１ａ，１ｂを閉めるときには、障子１ａ，１ｂの戸先２７がテーパー面２８にガイドされて溝４へと誘導され、戸先２７が溝４に嵌合して見込み方向にばたつかないように保持される。２枚の障子１ａ，１ｂ用の戸先振れ止め部材２，２は、同じものであって、前後の向きを逆にして取付けている。図９中の符号３９は、ネジ２６の挿通孔であり、その上部にはネジ２６の頭が飛び出さないように座ぐり４０を施してある。本実施形態では、戸先振れ止め部材２を下部にのみ設置しているが、障子１ａ，１ｂの大きさによっては、上下方向の中間部にも設置することができる。
【００１４】
下振れ止め部材３は、戸先振れ止め部材２と同様に、滑りの良い樹脂で形成したピース状の部材となっており、図１〜３に示すように、開口部１０の下面１０ｃの２枚の障子１ａ，１ｂの召合せ框１４，１４の下方位置に２本のネジ２９で取付けてある。下振れ止め部材３は、横幅が召合せ框１４の横幅と同じになっており、見込み方向の寸法が２枚の障子１ａ，１ｂの召合せ框１４，１４を合わせた寸法と同じになっており、よって下振れ止め部材３は召合せ框１４，１４の下にすっきり隠れている（図２参照）。
下振れ止め部材３は、図４，５，８に示すように、各障子１ａ，１ｂの下部に形成された垂下片５，垂下片部２５を案内する溝６を見込み方向に２列設けてあり、これにより各障子１ａ，１ｂの下部が見込み方向に振れるのを規制している。この溝６には、図５，８に示すように、左右の浴室９ａ，９ｂ側の側面の左右両側に、左右の浴室９ａ，９ｂ側に向けて傾斜したテーパー面３０が左右対称に形成してある。このようにテーパー面３０を設けることで、垂下片５，垂下片部２５の先を溝６に挿入しやすくでき、また、垂下片５，垂下片部２５と擦れる面が小さくなるため、障子１ａ，１ｂの摺動を軽くできる。図８中の符号４１は、ネジ２９の挿通孔であり、その上部にはネジ２９の頭が飛び出さないように座ぐり４２を施してある。
また、２枚の障子１ａ，１ｂが背中合わせに配置され、垂下片５，垂下片部２５が障子１ａ，１ｂの対向する面側に設けてあることで、下振れ止め部材３をコンパクトにでき、障子１ａ，１ｂの下に隠して目立たないように設置できる。
【００１５】
図４に示すように、開口部１０の下面１０ｃは厳密には水平ではなく、見込み方向の中央が高く、左右の浴室９ａ，９ｂ側に向かって若干下り勾配になっている。そのため、下振れ止め部材３を直に取付けると、ネジ２９の締付けに伴って応力集中が起こって破損しやすくなったり、片側が浮くような状態で傾いて取付けられたりするおそれがある。そこで本建具８では、下面にゴム質の板状のシーラー３１を貼り付けたステンレス製の補強板３２を、下振れ止め部材３の下面と開口部１０の下面１０ｃの間に挟み込んでいる。このように補強板３２を配置することで応力集中による破損を防止できると共に、シーラー３１が開口部１０の下面１０ｃの傾斜を吸収するため、下振れ止め部材３を水平にがたつきなく取付けできる。
【００１６】
次に、本建具８の施工手順を説明する。まず、開口部１０の上面１０ａに上枠７を、開口部１０の側面１０ｂに戸先振れ止め部材２，２を、開口部１０の下面１０ｃに下振れ止め部材３をそれぞれ取付ける。その後、予め組み立てた障子１ａ，１ｂを、上枠７のレール１７に吊り下げて取付ける。上枠７は、図７に示すように、見込み壁１８の所定の位置に角孔３３が設けてあり、障子１ａ，１ｂを取付ける際には、図６（ａ）に示すように、少し前側に倒すようにして持ち上げて、吊車１６を上枠７のレール１７，１７間の隙間から前記角孔３３に差し入れ、その後、図６（ｂ）に示すように、吊車１６を上枠７のレール１７に引っ掛けると共に、障子１ａ，１ｂ下部の垂下片５を下振れ止め部材３の溝６に上方から落し込む。そうして障子１ａ，１ｂを取付けた後、図７に示すように、見込み壁１８上に設置した樹脂製の孔塞ぎ部材３４をスライドさせて、角孔３３を塞ぐ。
【００１７】
以上に述べたように本建具８は、引違い状に開閉する２枚の上吊り障子１ａ，１ｂの召合せ部（召合せ框１４，１４）の下方位置に、各障子１ａ，１ｂの垂下片５，垂下片部２５を案内する溝６，６を有する下振れ止め部材３を取付けてあり、下振れ止め部材３は常時障子１ａ，１ｂの下に隠れており、開口部１０の間口に通行の妨げになる溝や段差等がないため、通行がしやすく、車椅子で通行する場合でも通行しやすい。また、開口部１０の間口に溝や段差等がなく、下振れ止め部材３は障子１ａ，１ｂの下に隠れているので、外観が良好で、掃除もしやすい。しかも、障子１ａ，１ｂの戸先２７と下部が戸先振れ止め部材２と下振れ止め部材３で保持されることで、障子１ａ，１ｂが見込み方向にばたつくこともない。開口部１０には上枠７のみ取付ければよく、竪枠や下枠を取付ける必要がないため、建具８の施工が簡易に行え、既存の浴室の開口部に後付けするのも容易である。また本建具８は、引違い状に開閉する２枚の障子１ａ，１ｂを上吊りとし、各障子１ａ，１ｂの下部の３点（各戸先２点＋召合せ部１点）を支えるだけで、障子１ａ，１ｂを閉めたときのばたつきを規制したものであり、上枠と左右の竪枠とからなる三方枠で障子を保持するものと比較して、竪枠が無い分すっきりした外観になると共に、有効開口を広くすることができる。
【００１８】
図１１〜１３は、本発明の建具８の第２実施形態を示している。この建具８は、図１２に示すように、開口部１０の側面１０ｂに竪枠３５を取付けてあり、竪枠３５の内周側面に戸先振れ止め部材２を取付けている。竪枠３５は、障子１ａ又は１ｂが位置する側の見付面に内周側に突出する突片３６を有しており、突片３６は戸先框１３の見付面とラップしている。戸先振れ止め部材２は、突片３６に突き当てて位置決めされている。
障子１ａ，１ｂの戸先框１３には、図１３に示すように、ロック部品３７を設けてある。ロック部品３７は、上下にスライド操作することで、戸先２７から突出する施錠片（図示省略）が竪枠３５に設けた受け具（図示省略）に係脱し、障子１ａ，１ｂを施錠・解錠できるものである。上記以外の構成は、第１実施形態のものと同様である。
【００１９】
第２実施形態の建具８は、竪枠３５を設けたことで、竪枠３５に施錠片の受け具を設置できるため、障子１ａ，１ｂを施錠することが可能になる。また、竪枠３５に設けた突片３６により、障子１ａ，１ｂの戸先側からの光漏れを防止できる。
【００２０】
図１４，１５は、本発明の建具８及び浴室９の他の実施形態を示している。本実施形態は、大きい浴室９の内部に本発明の建具８を設置することで、浴室９内を仕切っている。建具８の構成は、第１実施形態と同様である。
本実施形態の場合も、障子１ａ，１ｂの下には召合せ部の下方に下振れ止め部材３が取付けてあるのみで、浴室９の床面に溝や段差等がないため、通行の障害になることがなく、車椅子で通行する場合でも通行しやすい。下枠やグレーチング等を設ける必要がないので、間仕切り用の建具８を簡易に設置することができ、既存の浴室９内に建具８を後付けすることも容易である。
なお、図示した例では竪枠３５を設けていないが、第２実施形態と同様に竪枠３５を設けることもできる。また、浴室９への出入口３８に本発明の建具８を設置することもできる。
【００２１】
本発明は以上に述べた実施形態に限定されない。本発明の建具は、浴室内の間仕切りや出入口に限らず、間仕切りや出入口用の建具として広く利用することができる。障子の構成は任意である。下振れ止め部材は、溝にテーパー面が無いものであってもよい。戸先振れ止め部材は、戸先框を全長にわたって保持するような長い部材とすることもできる。
【符号の説明】
【００２２】
１ａ，１ｂ  障子
２  戸先振れ止め部材
３  下振れ止め部材
４  戸先が嵌合する溝
５  垂下片
６  垂下片を案内する溝
７  上枠
８  建具
９  浴室
１０  開口部
２５  垂下片部（垂下片）
【図１】
2015203265.tif 000003
【図２】
2015203265.tif 000004
【図３】
2015203265.tif 000005
【図４】
2015203265.tif 000006
【図５】
2015203265.tif 000007
【図６】
2015203265.tif 000008
【図７】
2015203265.tif 000009
【図８】
2015203265.tif 000010
【図９】
2015203265.tif 000011
【図１０】
2015203265.tif 000012
【図１１】
2015203265.tif 000013
【図１２】
2015203265.tif 000014
【図１３】
2015203265.tif 000015
【図１４】
2015203265.tif 000016
【図１５】
2015203265.tif 000017